【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
継手本体に接続管を挿入する接続管挿入構造において、前記接続管の端部が挿入される前記継手本体の内周に、環状のパッキンを嵌合するパッキン収容溝が設けられ、前記パッキン収容溝は、前記パッキンの底面と対向する底部と、前記パッキンの側面と対向する側部と、該側部の周端から内周に突出した突出部とからなり、前記突出部と、前記パッキン収容溝に嵌合した前記パッキンの上面との間には、前記継手本体を前記接続管に取り付ける時に生じる前記パッキンのめくれ上がり等によるねじれ変形を吸収する間隙部が形成されていることを特徴とする接続管挿入構造。
【請求項２】
前記接続管の先端側の外周には、ねじ山が形成され、前記継手本体は、金属からなり、該継手本体の内壁には、前記接続管に螺合するねじ山が設けられていることを特徴とする請求項１記載の接続管挿入構造。
【請求項３】
前記パッキンは弾性体からなり、前記パッキン収容溝に接着されていることを特徴とする請求項１または２に記載の接続管挿入構造。
【手続補正２】
【補正対象書類名】明細書
【補正対象項目名】０００１
【補正方法】変更
【補正の内容】
【０００１】
本発明は、継手本体に接続管を挿入する接続管挿入構造に関するものである。
【手続補正３】
【補正対象書類名】明細書
【補正対象項目名】０００２
【補正方法】変更
【補正の内容】
【０００２】
継手本体に接続管を挿入する接続管挿入構造として、例えば、特許文献１、２があり、この構成は次のようなものである。
【手続補正４】
【補正対象書類名】明細書
【補正対象項目名】００１３
【補正方法】変更
【補正の内容】
【００１３】
本発明は、請求項１においては、接続管の端部が挿入される継手本体の内周に、環状のパッキンを嵌合するパッキン収容溝が設けられ、パッキン収容溝は、パッキンの底面と対向する底部と、パッキンの側面と対向する側部と、該側部の周端から内周に突出した突出部とからなり、該突出部と、パッキン収容溝に嵌合したパッキンの上面との間には、継手本体に接続管を挿入する時に生じるパッキンのめくれ上がり等によるねじれ変形を吸収する間隙部が形成されていることを特徴とする。
【手続補正５】
【補正対象書類名】明細書
【補正対象項目名】００１４
【補正方法】変更
【補正の内容】
【００１４】
また、請求項２記載の発明は、接続管の先端側の外周にはねじ山が形成され、継手本体は、金属からなり、この継手本体の内壁には、接続管に螺合するねじ山が設けられていることを特徴とする。さらに、請求項３記載の発明は、パッキンを弾性体とし、このパッキンをパッキン収容溝に接着されていることを特徴とする。
【手続補正６】
【補正対象書類名】明細書
【補正対象項目名】００１５
【補正方法】変更
【補正の内容】
【００１５】
本発明の接続管挿入構造は、継手本体に接続管を挿入する時に生じるパッキンのめくれ上がり等によるねじれ変形を間隙部により吸収することにより、接続管の表面にパッキンを均一に圧接することができる。また、接続管の先端にねじ山があるなしにかかわらず、接続管の表面にパッキンを均一に圧接することができ、継手本体に挿入する接続管の汎用性を高めることができる。
【手続補正７】
【補正対象書類名】明細書
【補正対象項目名】００１６
【補正方法】変更
【補正の内容】
【００１６】
【図１】本発明の接続管挿入構造の概略を示す図。
【図２】先端にねじ山が設けられた接続管を挿入する図。
【図３】図１の矢視Ａの部分拡大図である。
【図４】先端にねじ山が設けられていない接続管を挿入した接続管挿入構造の概略を示す図。
【図５】先端にねじ山が設けられていない接続管を挿入する図。
【手続補正８】
【補正対象書類名】明細書
【補正対象項目名】００１８
【補正方法】変更
【補正の内容】
【００１８】
継手本体１００は、亜鉛ダイカストからなり、挿入口１１０とパッキン収容溝４００とねじ穴１２０と規制部１３０とからなる。なお、図１においては、左側しか図示されていないが、これに限定されることはなく、右側も同様な構成を設けても良い。
【手続補正９】
【補正対象書類名】明細書
【補正対象項目名】００１９
【補正方法】変更
【補正の内容】
【００１９】
挿入口１１０は、接続管２００の先端を導入するものであり、接続管２００が継手本体１００に挿入して嵌められる程度の径を有する。ねじ穴１２０は、継手本体１００に取り付けられた接続管２００を固定する固定ねじ６００をねじ込んで入れるものである。
【手続補正１０】
【補正対象書類名】明細書
【補正対象項目名】００２０
【補正方法】変更
【補正の内容】
【００２０】
固定ねじ６００は、ドライバやスパナ等で固定ねじ６００を回すための頭部６１０と、ねじ穴１２０と螺合する挿入部６２０と、頭部６１０と挿入部６２０とを連結する連結部６３０とからなる。固定ねじ６００を回して接続管２００に所定のトルクがかかると、連結部６３０は破断し、頭部６１０と挿入部６２０が分離するようになっている。この構成により、接続管２００に所定以上のトルクがかかることが防止されて、適切なトルク管理を行うことができる。規制部１３０は、所定の位置で接続管２００の進入を規制するものであり、継手本体１００の内壁に突出して設けられている。
【手続補正１１】
【補正対象書類名】明細書
【補正対象項目名】００２１
【補正方法】変更
【補正の内容】
【００２１】
パッキン収容溝４００は、パッキン３００を遊嵌するものであり、接続管２００の端部が挿入される継手本体１００の内周に、設けられている。具体的にパッキン収容溝４００は、パッキン３００の底面３１１と対向する底部４１０と、パッキン３００の側面３１２と対向する側部４２０と、該側部４２０の周端から内周に突出した突出部４３０とからなる。
【手続補正１２】
【補正対象書類名】明細書
【補正対象項目名】００２２
【補正方法】変更
【補正の内容】
【００２２】
図２に示すように、パッキン収容溝４００の側部４２０は、パッキン３００の厚みより深くなっている。これは、パッキン３００がパッキン収容溝４００に嵌った時に、僅かながたつき（遊び）が生じるようにするためである。突出部４３０は、接続管２００の挿入時に、パッキン３００がパッキン収容溝４００から抜け出したり、パッキン３００がパッキン収容溝４００内でめくれ上がり等のねじれ変形がおこらないようにするものであり、側部４２０の周端から内周に突出している。
【手続補正１３】
【補正対象書類名】明細書
【補正対象項目名】００２４
【補正方法】変更
【補正の内容】
【００２４】
さらに、パッキン３００は、本体部３１０と突部３２０とからなる。本体部３１０は、後に述べるパッキン収容溝４００に嵌り込む形状となっている。突部３２０は、パッキン収容溝４００から接続管２００側に延び、接続管２００を挿入した時に、常に、その表面に一定圧で接触する長さを有する。
【手続補正１４】
【補正対象書類名】明細書
【補正対象項目名】００２６
【補正方法】変更
【補正の内容】
【００２６】
次に、本発明の接続管挿入構造の動作について説明する。はじめに、先端にねじ山が切られていない接続管２００を継手本体１００に挿入する動作から説明する。
【手続補正１５】
【補正対象書類名】明細書
【補正対象項目名】００２７
【補正方法】変更
【補正の内容】
【００２７】
先ず、図４に示すように、継手本体１００の挿入口１１０に挿入し、さらに、接続管２００の先端が規制部１３０に突き当たるまで接続管２００を挿入する。この時、図５に示すように、継手本体１００のパッキン収容溝４００に嵌合したパッキン３００が、接続管２００の表面に一定圧で当圧する。さらに、継手本体１００の外側から固定ねじ６００を回し、接続管２００に所定のトルクを作用させ、接続管２００を継手本体１００に固定する。
【手続補正１６】
【補正対象書類名】明細書
【補正対象項目名】００２８
【補正方法】変更
【補正の内容】
【００２８】
次に、先端にねじ山が切られた接続管２００を継手本体１００に挿入する動作を説明する。図２に示すように、先端にねじ山が切られていない接続管２００と同じように、継手本体１００の挿入口１１０に、接続管２００の先端が規制部１３０に突き当たるまで接続管２００を挿入する。
【手続補正１７】
【補正対象書類名】明細書
【補正対象項目名】００２９
【補正方法】変更
【補正の内容】
【００２９】
図２に示すように、接続管２００の先端が、規制部１３０に突き当たるまでの間、パッキン３００の突部３２０がねじ山２１０の部分に引っ掛かる状態で、継手本体１００内に進入していく。この間、パッキン３００は接続管２００の挿入方向に、引っ張られ、本体部３１０がねじれ変形していく。さらに、この状況が進むと、パッキン収容溝４００から抜け出して、パッキン３００がめくれ上がろうとする。
【手続補正１８】
【補正対象書類名】明細書
【補正対象項目名】００３０
【補正方法】変更
【補正の内容】
【００３０】
しかし、図３に示すように、突出部を支点としてパッキン３００の周縁が押圧され、パッキン３００の本体部３１０のめくれ上がり等によるねじれ変形は間隙部５００内で生じることになる。この結果、パッキン３００の、パッキン収容溝４００から抜け出しや、めくれ上がりが防止され、図１に示すように、パッキン３００がパッキン収容溝４００内に収まった状態且つ、パッキン３００の突部３２０が接続管２００の表面に一定圧で当圧する。
【手続補正１９】
【補正対象書類名】明細書
【補正対象項目名】００３１
【補正方法】変更
【補正の内容】
【００３１】
この後、継手本体１００の外側から固定ねじ６００を回し、接続管２００に所定のトルクを作用させ、接続管２００を継手本体１００に固定して、接続管２００の挿入が完了する。
【手続補正２０】
【補正対象書類名】明細書
【補正対象項目名】００３２
【補正方法】変更
【補正の内容】
【００３２】
以上のように、突出部と、パッキン収容溝に嵌合したパッキンの上面との間に間隙部を形成し、この間隙部によって、継手本体を接続管に挿入する時に生じるパッキンのめくれ上がり等によるねじれ変形を吸収することにより、接続管の先端にねじ山のあるなしにかかわらず、パッキンが捲れることなく、接続管を継手本体に挿入することができる。
【手続補正２１】
【補正対象書類名】明細書
【補正対象項目名】００３３
【補正方法】削除
【補正の内容】